(57)【要約】【課題】  苗木Ｗを一本一本掴んで引出し易くし、移植作業性の向上を図る。【解決手段】  根Ｗａ及び茎葉部Ｗｂからなる苗木Ｗを根Ｗａを下にして複数集合して収納する収納部１と、収納部１に付設され収納部１を身体の背に保持するためのストラップ２０とを備え、収納部１に、苗木Ｗを入れる入口２を形成するとともに収納部１を背負った状態で収納部１に収納した苗木Ｗを引出し可能な引出し口１０を形成したものにおいて、収納部１を、苗木Ｗの根Ｗａを支持する底壁５及び身体の背に当接する背壁６を有した箱型に形成した。【選択図】図１
2017212970.tif 000002
【特許請求の範囲】
【請求項１】
根及び茎葉部からなる苗木を根を下にして複数集合して収納する収納部と、該収納部に付設され該収納部を身体の背に保持するためのストラップとを備え、上記収納部に、苗木を入れる入口を形成するとともに該収納部を背負った状態で該収納部に収納した苗木を取り出し可能な引出し口を形成した苗木の移植用背負具において、
上記収納部を、苗木の根を支持する底壁及び身体の背に当接する背壁を有した箱型に形成したことを特徴とする苗木の移植用背負具。
【請求項２】
上記収納部を、略直方体状に形成され上記入口を有した容器状の本体と、該本体の入口を開閉する蓋とを備えて構成したことを特徴とする請求項１記載の苗木の移植用背負具。
【請求項３】
上記本体を折畳み可能にしたことを特徴とする請求項２記載の苗木の移植用背負具。
【請求項４】
上記本体を、苗木の根を支持する略矩形状の底壁と、身体の背に当接する略矩形状の背壁と、互いに対面する略矩形状の一対の側壁とを備えて構成し、上記背壁が対面する部位に略矩形状の開口を形成して該開口を上記入口として構成し、上記蓋を、上記本体の入口を塞ぐ略矩形状に形成し、上記一対の側壁の少なくとも何れか一方の下側に、収納した苗木を引出し可能な引出し口を形成したことを特徴とする請求項２または３記載の苗木の移植用背負具。
【請求項５】
上記底壁が対面する部位に、収納された苗木の茎葉部の上側が臨み得る開放口を形成したことを特徴とする請求項４記載の苗木の移植用背負具。
【請求項６】
上記背壁が対面する部位に下辺部，上辺部及び一対の側辺部を有した枠体を設け、該枠体の各辺部によって囲繞される開口を上記入口として構成し、上記背壁と上記枠体とが重畳可能になるように上記底壁及び側壁を折畳み可能に上記枠体及び／または背壁に連結したことを特徴とする請求項４または５記載の苗木の移植用背負具。
【請求項７】
上記枠体及び／または背壁の周囲に、上記背壁と上記枠体とが重畳した状態で上記底壁及び側壁を覆い隠す立上り壁を形成したことを特徴とする請求項６記載の苗木の移植用背負具。
【請求項８】
上記底壁の前縁部を上記枠体の下辺部に回動可能に設け、若しくは、上記底壁の後縁部を上記背壁の下縁部に回動可能に設け、該底壁の回動により該底壁を上記本体を箱状に形作る底壁組立位置及び上記枠体に沿う底壁折畳位置の２位置に移動可能にし、
上記側壁を前側分割側壁及び後側分割側壁に２分割し、該前側分割側壁及び後側分割側壁を互いに回動可能に連結し、上記前側分割側壁の前縁部を上記枠体の側辺部に回動可能に設け、上記後側分割側壁の後縁部を上記背壁の側縁部に回動可能に設け、該側壁の回動により該側壁を上記本体を箱状に形作る側壁組立位置、及び、上記底壁の底壁組立位置において内側に折畳まれた側壁折畳位置の２位置に移動可能にしたことを特徴とする請求項６または７記載の苗木の移植用背負具。
【請求項９】
上記引出し口を、略矩形状に形成したことを特徴とする請求項２乃至８何れかに記載の苗木の移植用背負具。
【請求項１０】
上記本体の一部または全部を網状に形成したことを特徴とする請求項２乃至９何れかに記載の苗木の移植用背負具。
【請求項１１】
少なくとも上記本体を、プラスチックで形成したことを特徴とする請求項２乃至１０何れかに記載の苗木の移植用背負具。
【発明の詳細な説明】
【技術分野】
【０００１】
本発明は、平地あるいは山地に樹木の苗木を移植する際に用いる苗木の移植用背負具に係り、特に、苗木を複数集合して収納した収納部を身体に背負った状態で収納部から苗木を引出して移植可能にした苗木の移植用背負具に関する。
【背景技術】
【０００２】
従来から、この種の苗木の移植用背負具としては、例えば、実公昭３８−２２４１８号公報（特許文献１）に掲載されたものが知られている。図１１に示すように、苗木Ｗは、根Ｗａ及び茎葉部Ｗｂからなり、近年は、コンテナ容器で育成した所謂コンテナ苗木といわれる形態の苗木Ｗが用いられる。この背負具Ｓａは、布製のリュックサック様のものであり、苗木Ｗを根Ｗａを下にして複数集合して収納する収納部１００と、収納部１００に付設され収納部１００を身体の背に保持するためのストラップ１０１とを備えて構成されている。収納部１００は、底部に至るに従い漸次狭くなっており、その上部には、苗木Ｗを収納する入口１０２が形成され、側部には、収納部１００を背負った状態で収納部１００に収納した苗木Ｗを引出し可能な引出し口１０３が形成されている。
【０００３】
この背負具Ｓａを用いて、平地あるいは山地に苗木Ｗを移植する際には、予め、所要数の複数の苗木Ｗを収納部１００に入れ、この収納部１００を身体の背に背負い、ストラップ１０１で保持し、この状態で、収納部１００の引出し口１０３から苗木Ｗを引出し、この引出した苗木Ｗを地面に移植していく。
【先行技術文献】
【特許文献】
【０００４】
【特許文献１】実公昭３８−２２４１８号公報
【発明の概要】
【発明が解決しようとする課題】
【０００５】
ところで、上記従来の苗木の移植用背負具Ｓａおいては、収納部１００は布製で柔らかく、底部に至るに従い漸次狭くなっているので、苗木Ｗの根Ｗａが押し込まれて密集してしまい、引出し口１０３に手を入れて引出そうとした場合に、苗木Ｗを一本一本掴んで引出しにくくなっており、それだけ、作業性に劣るという問題があった。
本発明は上記の問題点に鑑みて為されたもので、苗木を一本一本掴んで引出し易くし、移植作業性の向上を図った苗木の移植用背負具を提供することを目的とする。
【課題を解決するための手段】
【０００６】
このような目的を達成するため、本発明の苗木の移植用背負具は、根及び茎葉部からなる苗木を根を下にして複数集合して収納する収納部と、該収納部に付設され該収納部を身体の背に保持するためのストラップとを備え、上記収納部に、苗木を入れる入口を形成するとともに該収納部を背負った状態で該収納部に収納した苗木を引出し可能な引出し口を形成した苗木の移植用背負具において、
上記収納部を、苗木の根を支持する底壁及び身体の背に当接する背壁を有した箱型に形成した構成としている。
【０００７】
これにより、この苗木の移植用背負具を用いて、平地あるいは山地に樹木の苗木を移植する際には、先ず、所要数の複数の苗木を収納部の入口から入れ、苗木の根を収納部の底壁に支持して収納部に収納する。この場合、収納部は箱型に形成され、苗木の根は収納部の底壁に支持されるので、苗木は整然と並べられる。その後、この収納部を身体に背負い、ストラップで保持する。この状態で、収納部の引出し口から苗木を引出し、この取出した苗木を地面に移植していく。この場合、収納部は箱型に形成され苗木は底壁に支持されて整然と並べられているので、苗木を一本一本掴んで引出し易くなっており、それだけ、引出し作業がやり易く、作業性を向上させることができる。
【０００８】
そして、必要に応じ、上記収納部を、略直方体状に形成され上記入口を有した容器状の本体と、該本体の入口を開閉する蓋とを備えて構成している。これにより、苗木を本体に入れる際は、蓋を外して入口を開けて苗木を入れ、苗木を入れた後は、蓋で入口を閉じる。この場合、蓋を外して入口を開けるので、苗木を入れ易くすることができるとともに、蓋で閉じるので、移植中に苗木が入口から飛び出る事態を防止することができる。
【０００９】
また、必要に応じ、上記本体を折畳み可能にした構成としている。この移植用背負具を使用しないときは、本体を折畳んでおくと、コンパクトになり、保管が容易になる。また、持ち運びも容易になり、山地で植林を行う際等には極めて便利になる。
【００１０】
更に、必要に応じ、上記本体を、苗木の根を支持する略矩形状の底壁と、身体の背に当接する略矩形状の背壁と、互いに対面する略矩形状の一対の側壁とを備えて構成し、上記背壁が対面する部位に略矩形状の開口を形成して該開口を上記入口として構成し、上記蓋を、上記本体の入口を塞ぐ略矩形状に形成し、上記一対の側壁の少なくとも何れか一方の下側に、収納した苗木を引出し可能な引出し口を形成した構成としている。
【００１１】
これにより、入口が背壁に対面した略矩形の一面で構成されるので、従来のように苗木を上から入れる場合に比較して、苗木を底壁に載置し易く、しかも、入口が極めて大きくなることから、苗木をより一層入れ易くなり、この点で、苗木の収納作業性を大幅に向上させることができる。
【００１２】
更にまた、必要に応じ、上記底壁が対面する部位に、収納された苗木の茎葉部の上側が臨み得る開放口を形成した構成としている。苗木が長い場合に、苗木の茎葉部の先端を突出させることができるので、苗木を傷めることなく収納部に収納することができる。
【００１３】
また、上記本体を折畳み可能にした構成のものにおいては、必要に応じ、上記背壁が対面する部位に下辺部，上辺部及び一対の側辺部を有した枠体を設け、該枠体の各辺部によって囲繞される開口を上記入口として構成し、上記背壁と上記枠体とが重畳可能になるように上記底壁及び側壁を折畳み可能に上記枠体及び／または背壁に連結した構成としている。折畳み時においては、背壁と枠体が重畳するので、よりコンパクトにすることができる。
【００１４】
この場合、上記枠体及び／または背壁の周囲に、上記背壁と上記枠体とが重畳した状態で上記底壁及び側壁を覆い隠す立上り壁を形成したことが有効である。折畳み時の外観品質を向上させることができる。
【００１５】
また、必要に応じ、上記底壁の前縁部を上記枠体の下辺部に回動可能に設け、若しくは、上記底壁の後縁部を上記背壁の下縁部に回動可能に設け、該底壁の回動により該底壁を上記本体を箱状に形作る底壁組立位置及び上記枠体に沿う底壁折畳位置の２位置に移動可能にし、
上記側壁を前側分割側壁及び後側分割側壁に２分割し、該前側分割側壁及び後側分割側壁を互いに回動可能に連結し、上記前側分割側壁の前縁部を上記枠体の側辺部に回動可能に設け、上記後側分割側壁の後縁部を上記背壁の側縁部に回動可能に設け、該側壁の回動により該側壁を上記本体を箱状に形作る側壁組立位置、及び、上記底壁の底壁組立位置において内側に折畳まれた側壁折畳位置の２位置に移動可能にした構成としている。折畳みを確実にすることができる。
【００１６】
更に、必要に応じ、上記引出し口を、略矩形状に形成している。引出し口を矩形にしたので、苗木を引出し易くなる。特に、従来の引出し口は、布製なので閉じることもあり、手を入れにくいこともあるが、本構成では、手を入れ易くなり、引出しが容易になるのである。
【００１７】
また、必要に応じ、上記本体の一部または全部を網状に形成した構成としている。従来の布に比較して、通気性が良くなるので、移植中に収納部内の温度が高くなって苗木を傷める事態を防止することができる。
【００１８】
更に、必要に応じ、少なくとも上記本体を、プラスチックで形成した構成としている。成形により作成できるので、製造を容易にすることができる。また、軽量化を図ることができる。
【発明の効果】
【００１９】
本発明によれば、収納部を箱型に形成し、苗木の根を収納部の底壁に支持するようにしたので、苗木を整然と並べることができる。そして、収納部を身体に背負って苗木を移植する際は、収納部の引出し口から苗木を引出し、この取出した苗木を地面に移植していくが、この場合、収納部は箱型に形成され苗木は底壁に支持されて整然と並べられているので、苗木を一本一本掴んで引出し易くなっており、それだけ、引出し作業がやり易く、作業性を向上させることができる。
【図面の簡単な説明】
【００２０】
【図１】本発明の実施の形態に係る苗木の移植用背負具を示す斜視図である。
【図２】本発明の実施の形態に係る苗木の移植用背負具を示す別の斜視図である。
【図３】本発明の実施の形態に係る苗木の移植用背負具に苗木を収納する工程を示す図である。
【図４】本発明の実施の形態に係る苗木の移植用背負具を用いて苗木を移植する際に苗木を引出す状態を示す斜視図である。
【図５】本発明の別の実施の形態に係る苗木の移植用背負具を蓋を開いた状態で示す斜視図である。
【図６】本発明の別の実施の形態に係る苗木の移植用背負具を苗木を収納して蓋を閉じ状態で示す斜視図である。
【図７】本発明の別の実施の形態に係る苗木の移植用背負具を示す別の斜視図である。
【図８】本発明の別の実施の形態に係る苗木の移植用背負具を示す図であり、（ａ）は横断面図、（ｂ）は下部縦断面図である。
【図９】本発明の別の実施の形態に係る苗木の移植用背負具を折畳む途中の状態で示す斜視図である。
【図１０】本発明の別の実施の形態に係る苗木の移植用背負具を折畳んだ状態で示す斜視図である。
【図１１】従来の苗木の移植用背負具をこれを用いて苗木を移植する際の状態とともに示す図である。
【発明を実施するための形態】
【００２１】
以下、添付図面に基づいて本発明の実施の形態に係る苗木の移植用背負具について詳細に説明する。尚、上記と同様のものには同一の符号を付して説明する。
図１乃至図４に示す実施の形態に係る苗木の移植用背負具Ｓは、平地あるいは山地に樹木の苗木Ｗを移植する際に用いるものである。苗木Ｗは、根Ｗａ及び茎葉部Ｗｂからなり、近年は、コンテナ容器で育成した所謂コンテナ苗木といわれる形態の苗木Ｗが用いられる。
【００２２】
この背負具Ｓの基本的構成は、苗木Ｗを根Ｗａを下にして複数集合して収納する収納部１と、収納部１に付設され収納部１を身体の背に保持するためのストラップ２０とを備えてなる。
【００２３】
収納部１は、全体が箱型に形成されており、略直方体状に形成され苗木Ｗを入れる入口２を有した容器状の本体３と、本体３の入口２を開閉する蓋４とを備えて構成されている。
本体３は、プラスチックで型成形されている。型成形により作成できるので、製造を容易にすることができるとともに、軽量化を図ることができる。また、本体３は、苗木Ｗの根Ｗａを支持する略矩形状の底壁５と、身体の背に当接する略矩形状の背壁６と、底壁５及び背壁６に連設され互いに対面する略矩形状の一対の側壁７と、背壁６及び側壁７に連設され底壁５に対面する略矩形状の上壁８とを備えて構成されている。そして、底壁５，一対の側壁７及び上壁８により背壁６が対面する部位に形成される略矩形状の開口を入口２として構成している。底壁５及び側壁７は、網状に形成されている。背壁６には、複数の通気小孔９が開けられている。身体の背の通気性が確保される。実施の形態では、本体３の大きさは、縦寸法をＬ１，横寸法をＬ２，奥行き寸法をＬ３としたとき、Ｌ１≒５２０ｍｍ、Ｌ２≒３６０ｍｍ、Ｌ３≒３００ｍｍに設定されている。
【００２４】
また、一対の側壁７の少なくとも何れか一方（実施の形態では収納部１を背負ったとき身体の左手側の側壁７）の下側の底壁５側であって、背壁６側には、収納した苗木Ｗを引出し可能な引出し口１０が形成されている。引出し口１０は、矩形状に形成されている。引出し口１０の大きさは、縦をａ１、横をａ２としたとき、１１０ｍｍ≦ａ１≦２００ｍｍ、１００ｍｍ≦ａ２≦１８０ｍｍ、望ましくは、１３０ｍｍ≦ａ１≦１６０ｍｍ、１１０ｍｍ≦ａ２≦１５０ｍｍに設定されている。苗木Ｗが収納された状態では、自ら飛び出る事態が抑止される。実施の形態では、ａ１＝１３０ｍｍ、ａ２＝１１５ｍｍに設定されている。
【００２５】
上壁８には、収納された苗木Ｗの茎葉部Ｗｂの上側が臨み得る開放口１１が形成されている。開放口１１は矩形に形成され、その開口面積は、上壁８の面積の５０％〜９０％を占める。上壁８全部（１００％）を開口させても良い。実施の形態では、縦をｂ１、横をｂ２としたとき、ｂ１＝２３５ｍｍ、ｂ２＝２３５ｍｍに設定されている。
【００２６】
蓋４は、例えば、木板で形成され、本体３の入口２を塞ぐ略矩形状に形成されている。蓋４には、中央長手方向に沿って突条の把手１３が設けられている。１５は蓋４を閉じた状態で本体３に保持する一対のゴムのバンドであり、一端が一方の側壁７に固定されている。バンド１５の他端には他方の側壁７の係止部１６に着脱可能に係止される係止フック１７が設けられており、係止部１６は入口２の開口縁から僅かに外方に突出するフランジで構成されている。この係止フック１７を係止部１６に係止することにより、バンド１５の弾性力により蓋４を本体３に押圧して押えるようにしている。
【００２７】
ストラップ２０は、身体の両肩に夫々掛けられるように一対設けられている。一方のストラップ２０の一端は取付金具２１を介して上壁８の背壁６側に固定され、他端には背壁６の一方の側壁７側下端に設けたリング状の係着部２２に着脱可能に係着される係着フック２３が設けられており、この係着フック２３を係着部２２に係着することにより、一方のストラップ２０は本体３に取付けられる。他方のストラップ２０の一端は上記の取付金具２１を介して上壁８の背壁６側に固定され、他端には背壁６の他方の側壁７側下端に設けたリング状の係着部２２に着脱可能に係着される係着フック２３が設けられており、この係着フック２３を係着部２２に係着することにより、他方のストラップ２０は本体３に取付けられる。
【００２８】
従って、この背負具Ｓを用いて、平地あるいは山地に樹木の苗木Ｗを移植する際には、以下のようにする。
先ず、所要数の複数の苗木Ｗを収納部１に収納する。この際には、バンド１５の係止フック１７を本体３から外して、蓋４を外して入口２を開け、図３（ａ）に示すように、入口２から苗木Ｗを入れ、苗木Ｗの根Ｗａを収納部１の本体３の底壁５に支持して本体３に収納する。この場合、蓋４を外して入口２を開けるので、苗木Ｗを入れ易くすることができる。特に、入口２が背壁６に対面した略矩形の一面で構成されるので、従来のように苗木Ｗを上から入れる場合に比較して、苗木Ｗの根Ｗａを底壁５に載置し易く、しかも、入口２が極めて大きくなることから、苗木Ｗをより一層入れ易くなり、この点で、苗木Ｗの収納作業性を大幅に向上させることができる。
【００２９】
また、この場合、苗木Ｗの根Ｗａを収納部１の底壁５に支持して収納部１の本体３に収納するが、収納部１の本体３は箱型に形成され、苗木Ｗの根Ｗａは収納部１の底壁５に支持されるので、苗木Ｗは整然と並べられる。苗木Ｗを入れた後は、図３（ｂ）に示すように、蓋４で入口２を閉じ、バンド１５の係止フック１７を本体３に係止する。蓋４で入口２を閉じるので、移植中に苗木Ｗが入口２から飛び出る事態を防止することができる。
【００３０】
更に、この場合、上壁８に開放口１１が形成されており、その開口面積も上壁８の面積の５０％〜９０％を占めるので、苗木Ｗが長い場合に、苗木Ｗの茎葉部Ｗｂの先端を突出させることができることから、苗木Ｗを傷めることなく収納部１に収納することができる。
【００３１】
そして、図４に示すように、この収納部１を身体に背負い、ストラップ２０で保持する。この状態で、収納部１の引出し口１０から苗木Ｗを引出し、この取出した苗木Ｗを地面に移植していく。この場合、収納部１は箱型に形成され苗木Ｗは底壁５に支持されて整然と並べられているので、苗木Ｗを一本一本掴んで引出し易くなっており、それだけ、引出し作業がやり易く、作業性を向上させることができる。特に、引出し口１０を、矩形状に形成したので、苗木Ｗを引出し易くなる。特に、従来の引出し口１０は、布製なので閉じることもあり、手を入れにくいこともあるが、本構成では、手を入れ易くなり、引出しが容易になるのである。
【００３２】
また、この場合、底壁５及び側壁７を網状に形成しているので、従来の布に比較して、通気性が良くなることから、移植中に収納部１内の温度が高くなって苗木Ｗを傷める事態を防止することができる。
【００３３】
次に、本発明の別の実施の形態に係る苗木の移植用背負具について詳細に説明する。
図５乃至図１０に示す別の実施の形態に係る苗木の移植用背負具Ｓは、上記と同様に、平地あるいは山地に樹木の苗木Ｗを移植する際に用いるものである。苗木Ｗは、根Ｗａ及び茎葉部Ｗｂからなり、近年は、コンテナ容器で育成した所謂コンテナ苗木といわれる形態の苗木Ｗが用いられる。
【００３４】
この背負具Ｓの基本的構成は、苗木Ｗを根Ｗａを下にして複数集合して収納する収納部１と、収納部１に付設され収納部１を身体の背に保持するための上記と同様のストラップ２０とを備えてなる。
【００３５】
収納部１は、全体が箱型に形成されており、略直方体状に形成され苗木Ｗを入れる入口２を有した容器状の本体３と、本体３の入口２を開閉する蓋４とを備えて構成されている。
本体３は、プラスチックで形成されている。製造を容易にすることができるとともに、軽量化を図ることができる。また、本体３は、苗木Ｗの根Ｗａを支持する略矩形状の底壁５と、身体の背に当接する略矩形状の背壁６と、互いに対面する略矩形状の一対の側壁７とを備えて構成されている。背壁６の外側には木製の補強板６ａが付設されている。そして、背壁６が対面する部位に略矩形状の開口を形成してこの開口を入口２として構成している。底壁５及び側壁７は、網状に形成されている。実施の形態では、本体３の大きさは、上記実施の形態と略同様の大きさである。
【００３６】
また、一対の側壁７の少なくとも何れか一方（実施の形態では収納部１を背負ったとき身体の左手側の側壁７であって、後述の後側分割側壁３８）の下側の底壁５側であって背壁６側には、収納した苗木Ｗを引出し可能な引出し口１０が形成されている。引出し口１０は、矩形状に形成されている。引出し口１０の大きさは、縦をａ１、横をａ２としたとき、１１０ｍｍ≦ａ１≦２００ｍｍ、１００ｍｍ≦ａ２≦１８０ｍｍ、望ましくは、１３０ｍｍ≦ａ１≦１６０ｍｍ、１１０ｍｍ≦ａ２≦１５０ｍｍに設定されている。苗木Ｗが収納された状態では、自ら飛び出る事態が抑止される。実施の形態では、ａ１＝１３０ｍｍ、ａ２＝１１５ｍｍに設定されている。
更に、底壁５が対面する部位は、収納された苗木Ｗの茎葉部Ｗｂの上側が臨み得る開放口１１に形成されている。開放口１１は矩形に形成される。
【００３７】
そしてまた、本体３は、折畳み可能に形成されている。詳しくは、背壁６が対面する部位には、下辺部３１，上辺部３２及び一対の側辺部３３を有した枠体３０が設けられている。この枠体３０の各辺部３１，３２，３３によって囲繞される開口が入口２として構成されている。底壁５及び側壁７は、背壁６と枠体３０とが重畳可能になるように折畳み可能に枠体３０及び／または背壁６に連結されている。枠体３０及び背壁６の周囲には、背壁６と枠体３０とが重畳した状態で底壁５及び側壁７を覆い隠す立上り壁３４，３５が形成されている。
【００３８】
より詳しくは、底壁５の前縁部３６は、枠体３０の下辺部３１に回動可能に設けられている。この底壁５の回動により、底壁５を、本体３を箱状に形作る底壁組立位置Ｘａ及び枠体３０に沿う底壁折畳位置Ｙａ（図９）の２位置に移動可能にしている。一方、側壁７は、前側分割側壁３７及び後側分割側壁３８に２分割されており、前側分割側壁３７及び後側分割側壁３８は互いに回動可能に連結されている。前側分割側壁３７の前縁部３７ａは、枠体３０の側辺部３３に回動可能に設けられ、後側分割側壁３８の後縁部３８ａは、背壁６の側縁部３９に回動可能に設けられている。この側壁７の回動により、側壁７を、本体３を箱状に形作る側壁組立位置Ｘｂ、及び、底壁５の底壁組立位置Ｘａにおいて内側に折畳まれた側壁折畳位置Ｙｂ（図１０）の２位置に移動可能にしている。底壁５は、側壁７の側壁組立位置Ｘｂにおいて回動可能になっている一方、側壁７は、底壁５の底壁折畳位置Ｙａにおいて回動可能になっている。即ち、底壁５の底壁折畳位置Ｙａにおいて、側壁７の回動がロックされる。引出し口１０は、一方の後側分割側壁３８に形成されている。
【００３９】
蓋４は、この入口２を開閉するもので、例えば、木板で形成され、本体３の入口２を塞ぐように枠体３０と略同じ大きさの略矩形状に形成されている。４０は蓋４を閉じた状態で本体３に保持する一対のゴムのバンドであり、各バンド４０は、その一端が枠体３０の一方の側辺部３３の外側に設けた一方フランジ４１に固定されているとともに、蓋４に設けた一対の穴４２に挿通されて蓋４に付帯されている。バンド４０の他端には係止フック４３が設けられており、係止フック４３は他方の側辺部３３の外側に設けられ外方に突出した他方フランジ４４に着脱可能に係止される。この係止フック４３を他方フランジ４４に係止することにより、バンド４０の弾性力により蓋４を枠体３０に押圧して押えるようにしている。
【００４０】
ストラップ２０は、身体の両肩に夫々掛けられるように一対設けられている。図７に示すように、一方のストラップ２０の一端は取付金具２１を介しての背壁６の上端側中央に固定され、他端には背壁６の一方の側壁７側下端に設けたリング状の係着部２２に着脱可能に係着される係着フック２３が設けられており、この係着フック２３を係着部２２に係着することにより、一方のストラップ２０は本体３に取付けられる。他方のストラップ２０の一端は上記の取付金具２１を介して背壁６の上端側中央に固定され、他端には背壁６の他方の側壁７側下端に設けたリング状の係着部２２に着脱可能に係着される係着フック２３が設けられており、この係着フック２３を係着部２２に係着することにより、他方のストラップ２０は本体３に取付けられる。
【００４１】
従って、この背負具Ｓを折畳むときは、図９に示すように、先ず、底壁５を、回動させて、底壁組立位置Ｘａから底壁折畳位置Ｙａに移動させ、次に、側壁７を、回動させて、図１０に示すように、側壁組立位置Ｘｂから側壁折畳位置Ｙｂに移動させる。これにより、背壁６と枠体３０とが重畳する。折畳み時においては、背壁６と枠体３０が重畳するので、コンパクトにすることができる。そのため、保管が容易になる。また、持ち運びも容易になり、山地で植林を行う際等には極めて便利になる。また、図１０に示すように、枠体３０及び背壁６の周囲に立上り壁３４，３５が形成されているので、背壁６と枠体３０とが重畳した状態では、底壁５及び側壁７が覆い隠されることになり、そのため、折畳み時の外観品質を向上させることができる。
【００４２】
そして、この背負具Ｓを用いて、平地あるいは山地に樹木の苗木Ｗを移植する際には、以下のようにする。先ず、図１０に示す折畳んだ状態から、図９に示すように、側壁７を、回動させて、図５乃至図８に示すように、側壁折畳位置Ｙｂから側壁組立位置Ｘｂに移動させ、次に、底壁５を、回動させて、底壁折畳位置Ｙａから底壁組立位置Ｘａに移動させ、本体３を箱状に形作る。
【００４３】
この状態で、先ず、図６に示すように、所要数の複数の苗木Ｗを収納部１に収納する。この際には、バンド４０の係止フック１７を他方フランジ４４から外して、図５に示すように、蓋４を外して入口２を開け、入口２から苗木Ｗを入れ、苗木Ｗの根Ｗａを収納部１の本体３の底壁５に支持して本体３に収納する。この場合、蓋４を外して入口２を開けるので、苗木Ｗを入れ易くすることができる。特に、入口２が背壁６に対面した略矩形の一面で構成されるので、従来のように苗木Ｗを上から入れる場合に比較して、苗木Ｗの根Ｗａを底壁５に載置し易く、しかも、入口２が極めて大きくなることから、苗木Ｗをより一層入れ易くなり、この点で、苗木Ｗの収納作業性を大幅に向上させることができる。
【００４４】
また、この場合、苗木Ｗの根Ｗａを収納部１の底壁５に支持して収納部１の本体３に収納するが、収納部１の本体３は箱型に形成され、苗木Ｗの根Ｗａは収納部１の底壁５に支持されるので、苗木Ｗは整然と並べられる。苗木Ｗを入れた後は、図６に示すように、蓋４で入口２を閉じ、バンド４０の係止フック４３を他方フランジ４４に係止する。蓋４で入口２を閉じるので、移植中に苗木Ｗが入口２から飛び出る事態を防止することができる。更に、この場合、開放口１１が形成されているので、苗木Ｗが長い場合に、苗木Ｗの茎葉部Ｗｂの先端を突出させることができることから、苗木Ｗを傷めることなく収納部１に収納することができる。
【００４５】
そして、図４に示すと同様に、この収納部１を身体に背負い、ストラップ２０で保持する。この状態で、収納部１の引出し口１０から苗木Ｗを引出し、この取出した苗木Ｗを地面に移植していく。この場合、収納部１は箱型に形成され苗木Ｗは底壁５に支持されて整然と並べられているので、苗木Ｗを一本一本掴んで引出し易くなっており、それだけ、引出し作業がやり易く、作業性を向上させることができる。特に、引出し口１０を、矩形状に形成したので、苗木Ｗを引出し易くなる。特に、従来の引出し口は、布製なので閉じることもあり、手を入れにくいこともあるが、本構成では、手を入れ易くなり、引出しが容易になるのである。また、この場合、底壁５及び側壁７を網状に形成しているので、従来の布に比較して、通気性が良くなることから、移植中に収納部１内の温度が高くなって苗木Ｗを傷める事態を防止することができる。
【００４６】
尚、上記実施の形態に係る苗木Ｗの移植用背負具Ｓにおいては、蓋４を、バンド１５，４０で保持するようにしたが、必ずしもこれに限定されるものではなく、例えば、蓋４の一側縁部をヒンジを介して本体３に開閉可能に設け、他側縁部を本体３に解除可能にロックするようにしても良く、適宜変更して差支えない。また、蓋４は、木製に限らず、プラスチック製にしても良く、適宜変更して差支えない。更に、本体３や蓋４の材質も上記に限定されないことは勿論である。更にまた、引出し口１０は、右手側に設けても良く、あるいは、左右両側に設けても良く、適宜変更して差支えない。また、収納部１の大きさや、形状も、上記に限定されるものではなく、適宜変更して差支えない。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４７】
Ｓ  背負具
Ｗ  苗木
Ｗａ  根
Ｗｂ  茎葉部
１  収納部
２  入口
３  本体
４  蓋
５  底壁
６  背壁
７  側壁
８  上壁
９  通気小孔
１０  引出し口
１１  開放口
１３  把手
１５  バンド
１６  係止部
１７  係止フック
２０  ストラップ
２１  取付金具
２２  係着部
２３  係着フック
３０  枠体
３１  下辺部
３２  上辺部
３３  側辺部
３４  立上り壁
３５  立上り壁
３６  前縁部
Ｘａ  底壁組立位置
Ｙａ  底壁折畳位置
３７  前側分割側壁
３７ａ  前縁部
３８  後側分割側壁
３８ａ  後縁部
３９  側縁部
Ｘｂ  側壁組立位置
Ｙｂ  側壁折畳位置
４０  バンド
４１  一方フランジ
４２  穴
４３  係止フック
４４  他方フランジ
【図１】
2017212970.tif 000003
【図２】
2017212970.tif 000004
【図３】
2017212970.tif 000005
【図４】
2017212970.tif 000006
【図５】
2017212970.tif 000007
【図６】
2017212970.tif 000008
【図７】
2017212970.tif 000009
【図８】
2017212970.tif 000010
【図９】
2017212970.tif 000011
【図１０】
2017212970.tif 000012
【図１１】
2017212970.tif 000013